【事件の表示】
　特願２００６−５１９７６４「ボーリングヘッド」拒絶査定不服審判事件〔平成１７年　２月　３日国際公開、ＷＯ２００５／００９６５７、平成１９年　３月２２日国内公表、特表２００７−５０６５６３〕について、次のとおり審決する。
【結　論】
　本件審判の請求は、成り立たない。
【理　由】
第１　手続の経緯  
 本件出願は、平成１６年７月１６日（パリ条約による優先権主張外国庁受理２００３年７月１８日、ドイツ連邦共和国）を国際出願日とする出願であって、同２１年３月１６日付けで拒絶の理由が通知され、同２１年６月２４日に意見書が提出され、同２１年８月１１日付けで再度拒絶の理由が通知され、同２１年１１月１６日に意見書とともに特許請求の範囲及び明細書について手続補正書が提出されたが、同２２年１月８日付けで拒絶をすべき旨の査定がされた。 
　これに対し、平成２２年４月９日に本件審判の請求がされるとともに特許請求の範囲及び明細書についてさらに手続補正書が提出され、その後、当審の同２３年９月２７日付け審尋に対して同２３年１月５日付けで回答書が提出されたものである。  
　  
第２　平成２２年４月９日付けの手続補正についての補正却下の決定
［補正却下の決定の結論］  
　平成２２年４月９日付けの手続補正を却下する。  
　 
［理由］  
１　補正の内容の概要  
　平成２２年４月９日付けの手続補正（以下「本件補正」という。）は、平成２１年１１月１６日付けで補正された特許請求の範囲及び明細書をさらに補正をするものであって、特許請求の範囲の請求項１に関する以下の補正を含んでいる。なお、下線部は補正箇所を示す。 
　　 
（１）＜補正前の請求項１＞  
「周辺に配置される少なくとも１つのガイド要素（１４０）と、周辺に配置される少なくとも１つの切断挿入体（１５０）とを備えたボーリングヘッド（１００）において、ガイド要素（１４０）も少なくとも１つの切断挿入体（１５０）もカセット（２００、２０５）により支持され、カセットは溝（１６０、１６５）内で移動可能に案内され、ボーリングヘッドハウジング（１１０）の周辺を越え、少なくとも１つのガイド要素（１４０）の突出でも、少なくとも１つの切断挿入体（１５０）での突出でも、共通の調整および調節のための調整手段（４００、４１０、４６０、４７０）をさらに
含み
　 
（２）＜補正後の請求項１＞  
「周辺に配置される少なくとも１つのガイド要素（１４０）と、周辺に配置される少なくとも１つの切断挿入体（１５０）とを備えたボーリングヘッド（１００）において、ガイド要素（１４０）も少なくとも１つの切断挿入体（１５０）もカセット（２００、２０５）により支持され、カセットは溝（１６０、１６５）内で移動可能に案内され、ボーリングヘッドハウジング（１１０）の周辺を越え、少なくとも１つのガイド要素（１４０）の突出でも、少なくとも１つの切断挿入体（１５０）での突出でも、共通の調整および調節のための調整手段（４００、４１０、４６０、４７０）をさらに
構成し
の前面
、また、前記調整手段はボーリングヘッド軸線に対して中央で実質的に同心に配置され
　 
２　補正の適否　　　  
　本件補正のうち特許請求の範囲の請求項１についてする補正は、補正前の請求項１の「ボーリングヘッド（１００）での」調整手段（４００、４１０、４６０、４７０）の固定なる事項について、「ボーリングヘッド（１００）の前面での」と限定的に減縮し、また、補正前の請求項１の「調整手段」なる事項について、「また、前記調整手段はボーリングヘッド軸線に対して中央で実質的に同心に配置される」と限定的に減縮するものである。
　そこで、補正後の特許請求の範囲の請求項１に係る発明（以下「補正発明」という。）が特許出願の際に独立して特許を受けることができるものであるか否かについて検討する。 　 
　
（１）補正発明  
　補正発明は、本件補正により補正された明細書及び願書に添付した図面の記載からみて、上記１（２）に示す特許請求の範囲の請求項１に記載された事項により特定されるとおりの「ボーリングヘッド」であると認める。  
　 
（２）刊行物 
　これに対して、本件出願の優先日前に頒布され、原査定の拒絶の理由に引用された刊行物である特開平８−４７８０３号公報（以下「刊行物１」という。）、特開平８−１１８１４３号公報（以下「刊行物２」という。）には、以下の発明、あるいは事項が記載されていると認められる。 
　 
（２−１）　刊行物１
ア　刊行物１記載の事項  
　刊行物１には、「スローアウェイ式切削工具」に関し、図面とともに以下の事項が記載されている。  
　 
（ア）特許請求の範囲の請求項１ 
「【請求項１】切刃を有するスローアウェイチップがカートリッジに固定され、このカートリッジが工具本体の先端に装着されて成るスローアウェイ式切削工具において、前記工具本体の先端中心部にスペーサを介してカートリッジ位置決め部材が着脱可能に取り付けられ、このカートリッジ位置決め部材と前記カートリッジとの当接面の少なくとも一方がテーパ状に形成されていて、前記スペーサを厚みの異なるものに交換することで、前記切刃の外径寸法を調整できるようにしたことを特徴とするスローアウェイ式切削工具。」  
　 
（イ）　段落【０００９】〜【００１０】 
「【０００９】
【実施例】・・・（前略）図１及び図２に示すスローアウェイ式ボーリングバー１において、シャンク部２の先端凹部にボーリングバー本体（以下、バー本体という）３の後端凸部が嵌合され、しかもシャンク部２とバー本体３とが中央軸部で一方の雄ネジ部と他方の雌ネジ部とが互いに螺合して、同心状に一体に固着されている。バー本体３の中央孔４の先端側は段付きで大径の中央凹部４ａが形成され、先端面５と同心円状に開口している。バー本体３の先端面５は、中央凹部４ａの周囲が径方向外周側に向かうに従って基端側に傾斜するテーパ面状をなしている。この先端面５において、中央凹部４ａの外周側には、略等間隔に複数の（図２では５個）略直方体型の凹溝６が形成され、各凹溝６はその径方向の両端面が中央凹部４ａとバー本体３の外周面とにそれぞれ開口している。更に、バー本体３の先端面５には、各凹溝６の回転方向前方側に切屑処理用のチップポケット７がそれぞれ形成されている。
【００１０】この凹溝６内には、例えば図３（Ａ）に示すような、スローアウェイチップ９が装着されたカートリッジ１０が径方向に摺動可能に嵌合されて、ネジ８等の締結部材で固定されている。このスローアウェイチップ９は、図３（Ａ），（Ｂ）に示すように、平面視略正方形板状を呈しており、その中央部にネジ１１ａ等によるネジ止め用のネジ穴１１が穿設されている。・・・（後略）」 
　 
（ウ）　段落【００１２】 
「【００１２】又、バー本体３の先端面５において、中央凹部４ａ内には適宜の厚さのスペーサ２４が交換可能に配置され、その上に中央凹部４ａ内に一部分が嵌合するキャップ２５（カートリッジ位置決め部材）が設けられている。このキャップ２５は、中央凹部４ａ内に嵌合する略円柱状の嵌合部２５ａと、中央凹部４ａの外側に位置し且つ先端方向に向かって漸次径が増大する（嵌合部２５ａよりも外径の大きい）テーパ部２５ｂとが形成されている。このキャップ２５はバー本体３の軸線と同心状に取り付けられている。テーパ部２５ｂのテーパ角度αは、図１に示す両端面で、０度より大きく９０度程度迄の範囲とするのが好ましいが、これより大きくてもよい。そして、テーパ部２５ｂの先端から、バー本体３の軸線と略平行に、キャップ２５及びスペーサ２４を貫通して、バー本体３内に延在するネジ穴２６が穿設され、これにネジ２７を螺合してキャップ２５を着脱可能に固定するようになっている。テーパ部２５ｂには、先端面５の各凹溝６に固定されたカートリッジ１０の後端面２２が当接しており、スペーサ２４を厚みの異なるものに交換することで、キャップ２５の固定位置を軸線方向に進退させ、カートリッジ１０の後端面２２をテーパ部２５ｂに当接するように径方向に位置調整することで、スローアウェイチップ９の切刃１６（１７）で構成する切刃外径寸法を調整できるようになっている。」 
　 
（エ）　段落【００１３】 
「【００１３】本実施例は上述のように構成されているから、ボーリングバー１による被削材の穴の加工切削に先だって、スローアウェイチップ９の切刃１６の外径寸法を設定する場合、各カートリッジ１０をバー本体３の先端面５に固定しているネジ８を緩め、更にネジ２７を外してキャップ２５を中央凹部４ａから取り外す。この状態で、スペーサ２４を所望の設定すべき切刃１６の外径に応じた厚さのものに交換して、キャップ２５を中央凹部４ａ内に嵌合してネジ２７で固定する。これによって、キャップ２５のテーパ部２５ｂは軸線方向に所要量進退することになる。そして、各カートリッジ１０を、凹溝６に嵌合した状態で凹溝６に沿って径方向に微少量摺動させて位置調整して、後端面２２がテーパ部２５ｂに当接する状態でネジ８を締め込む。このようにして、複数のカートリッジ１０を連続して固定できる。」 
　 
（オ）　段落【００１５】
「【００１５】上述のように、本実施例によれば、切刃１６の外径を調整する場合、厚みの異なるスペーサ２４に交換すれば切刃外径の微調整が可能であり、各切刃毎に個別に調整作業をする必要がなく全ての切刃について連続して簡単に行うことができる。・・・（後略）」
　
　上記摘記事項（ア）、（イ）及び図１、図２より、複数のスローアウェイチップ９が、ボーリングバー１の周辺に配置されていることが理解できる。
　また、上記摘記事項（ウ）にあるように、カートリッジ１０は複数のスローアウェイチップ９の切刃外形寸法の調整を行うものであるところ、図１、図２の記載、及びスローアウェイチップの機能等からして、カートリッジ１０は、ボーリングバー本体３の周辺を越えるように、複数のスローアウェイチップ９の切刃外形寸法の調整を行う、ということができる。
　さらに、上記摘記事項（ウ）にて指摘したように、キャップ２５（カートリッジ位置決め部材）はボーリングバー本体３の軸線と同心状に取り付けられていることから、カートリッジ位置決め部材はボーリングバー１軸線に対して中央で実質的に同心に配置されている、ということができる。
　　 
イ　刊行物１に記載の発明及び事項  
　そこで、上記摘記事項（ア）ないし（オ）を、図面を参照しつつ、技術常識を踏まえて補正発明に照らして整理すると刊行物１には以下の発明が記載されていると認める。  
「周辺に配置される複数のスローアウェイチップ９を備えたボーリングバー１において、複数のスローアウェイチップ９がカートリッジ１０により装着され、カートリッジ１０は凹溝６内で摺動可能に嵌合され、ボーリングバー本体３の周辺を越え、複数のスローアウェイチップ９の切刃外形寸法の調整のための共通のカートリッジ位置決め部材をさらに構成し、カートリッジ位置決め部材は、複数のスローアウェイチップ９と離れたカートリッジ１０の側でカートリッジ１０に当たり、カートリッジ位置決め部材の形状は、同時にボーリングバー１の前面でのカートリッジ位置決め部材の固定により、複数のスローアウェイチップ９の切刃外形寸法の調整が行われるように、スペーサー２４の厚みを適合させ、前記カートリッジ位置決め部材が、略円柱状の嵌合部２５ａと先端方向に向かって漸次径が増大するテーパ部２５ｂとで形成され、また、前記カートリッジ位置決め部材はボーリングバー１軸線に対して中央で実質的に同心に配置されるボーリンバー１。」 （以下、「刊行物１発明」という。） 
　
　さらに、刊行物１には以下の事項が記載されている。
（カ）　段落【０００２】
「　【０００２】
【従来の技術】従来のスローアウェイ式ボーリングバーにおいては、例えばボーリングバーの先端面に、スローアウェイチップが取り付けられたカートリッジが装着されており、このカートリッジはボーリングバーの工具本体の回転中心から径方向にずれた位置にネジ等で固定されている。スローアウェイチップのボーリングバー回転方向前方側の稜線は切刃とされ、ボーリングバーがその軸線を中心に回転することで、被削材が所望の内径寸法の穴に切削される。ボーリングバー先端面には、その軸線と同心状に凹溝又はネジ穴が形成されており、この凹溝又はネジ穴に円柱形状のキャップを嵌合又は螺合するようになっている。キャップがボーリングバー先端部に装着されると、キャップの周側面にカートリッジの後端面が当接した位置で各カートリッジがボーリングバー先端面に固定され、切刃の外径寸法が設定される。」
　
　そして、上記摘記事項（カ）を、技術常識を踏まえつつ補正発明に照らして整理すると刊行物１には以下の事項が記載されていると認める。
「スローアウェイチップを装着したカートリッジの後端面が当接するキャップにおいて、キャップの形状は、ボーリングバーの軸線を中心に回転する切刃の外径寸法を設定するものであり、キャップが軸線と同心状に円柱形状に構成されていること」（以下「刊行物１事項」という。）
　
（２−２）　刊行物２
　刊行物２には、「刃具径調整機構を備えた工具」に関し、図面とともに以下の事項が記載されている。
（キ）特許請求の範囲の請求項１
「【請求項１】  回転ホルダの筒内でテーパコーン部材を進退動させ、この進退動にて回転ホルダに取り付けた径方向調整部材を径方向に拡縮させる刃具径調整機構を備えた工具において、前記径方向調整部材は長手方向の両端部が前記回転ホルダに固定され、これら固定部の内側に径方向の変形を容易にする薄肉部が形成されるとともに、長手方向の略中央部に切削切刃が設けられたことを特徴とする刃具径調整機構を備えた工具。」
　
（ク）　段落【００１４】
「【００１４】この仕上バイト２の近傍の調整ロッド５には、図３に示すように軸方向に沿って外面が傾斜するテーパコーン部５ａ（図１では１ヵ所のみ示す）が設けられている。そして、このテーパコーン部５ａの位置に対応して回転ホルダ４には段付穴４ａが形成され、この段付穴４ａに径方向調整部材２２が嵌め込まれるように取り付けられるとともに、その下面ｔが調整ロッド５のテーパコーン部５ａに当接している。そして、径方向調整部材２２の下面ｔはテーパコーン部５ａのテーパ角とほぼ同じ角度のテーパ面として構成されている。このため、調整ロッド５が軸方向に移動してテーパコーン部５ａの大径部が径方向調整部材２２の下面ｔに当接すると、径方向調整部材２２は径方向外側に向けて押圧力を受ける。因みに、テーパコーン部５ａには超硬材を使用している。」
　
（ケ）　段落【００１７】
「【００１７】ところで、前記貫通孔２２ｄ、２２ｄによって上段部２２ａの肉厚は薄肉となり、また、貫通孔２２ｄを上下に挟む上壁ｍと下壁ｎの各上下面には波形が形成されている。そして、この上下壁ｍ、ｎの波形形状によって、下段部２２ｂの下面ｔから上方に向けて力を受けた際に、上下壁ｍ、ｎを伸びやすくして中間部の撓み変形が容易なようにしている。また、上段部２２ａの略中央部の上面には超硬合金でサンドイッチ状にされたダイヤモンド焼結体からなるリーマ切刃３が取り付けられている。」　
　
（コ）　段落【００１９】
「【００１９】以上のようなリーマ切刃３を取り付けた径方向調整部材２２の円周方向には、図３のＢ−Ｂ線断面図である図４に示すように、複数のガイド部材２４、２４を設けている。このガイド部材２４は、前記径方向調整部材２２とほぼ同様の構成からなる径方向調整部２４ａ（但し、切削油供給溝ｓはない。）と、この径方向調整部２４ａの上面に取り付けられた超硬合金製のガイド部２４ｂからなり、同様に、調整ロッド５の軸方向への移動にて径方向への張出し調整が出来るようにしている。」
　
　上記摘記事項（コ）と図４の記載から、複数のガイド部材２４とリーマ切刃３は、いずれも工具１の周辺に配置されていることが理解される。
　また、径方向調整部材２２はリーマ切刃３を取り付けて径方向調整を行い（摘記事項（ク、ケ））、径方向調整部２４ａは、径方向調整部材２２とほぼ同様の構成からなり、ガイド部材２４を取り付けて径方向調整を行う（摘記事項（コ））ことから、ガイド部材２４もリーマ切刃３も径方向調整部材により支持される、ということができる。
　
　そこで、上記摘記事項（キ）ないし（コ）を、図面を参照しつつ、技術常識を踏まえて補正発明に照らして整理すると刊行物２には以下の事項が記載されていると認める。  
「周辺に配置される少なくとも１つのガイド部材２４と、周辺に配置される少なくとも１つのリーマ切刃３とを備えた工具１において、ガイド部材２４も少なくとも１つのリーマ切刃３も径方向調整部材により支持され、少なくとも１つのガイド部材２４の突出でも、少なくとも１つのリーマ切刃３の突出でも、共通の調整のための調整ロッド５をさらに構成して、共通の調整のための調整ロッド５により同時に調整が行われるようにすること」（以下「刊行物２事項」という。）
　　
（３）対比  
　補正発明と刊行物１発明とを対比すると以下のとおりである。  
　まず、刊行物１発明の「スローアウェイチップ９」は、その機能及び形状からして、補正発明の「切断挿入体」に相当するといえる。　
　また、刊行物１発明の「ボーリングバー１」は、補正発明の「ボーリングヘッド」に相当することは、技術常識に照らして明らかであり、以下同様に「カートリッジ１０」は「カセット」に、「装着され」は「支持され」に、「凹溝６」は「溝」に、「摺動可能に嵌合され」は「移動可能に案内され」に、「ボーリングバー本体３」は「ボーリングヘッドハウジング」に、「調整のための」は「調整および調節のための」に相当することも明らかである。 
　そして、刊行物１発明の「カートリッジ位置決め部材」は、スローアウェイチップ９の切刃外形寸法の調整のためのものであるから、補正発明の「調整手段」に相当するといえ、同様に、刊行物１発明の「カートリッジ位置決め部材の形状」は、補正発明の「周辺方向への調整手段の形状」に相当するということができる。
　また、刊行物１発明の「切刃外形寸法の調整」は、一般に切刃は外径方向へ突出して用いられるものであるから、補正発明の「突出の調整」に相当するといえる。
　さらに、刊行物１発明の複数の切断挿入体（スローアウェイチップ９）と、補正発明の「少なくとも１つのガイド要素（１４０）と」「少なくとも１つの切断挿入体（１５０）」とは、複数の挿入体要素、であるという限りにおいて共通している。 
　したがって、補正発明と刊行物１発明とは、以下の点で一致しているということができる。  
＜一致点＞  
「周辺に配置される複数の挿入体要素を備えたボーリングヘッドにおいて、複数の挿入体要素がカセットにより支持され、カセットは溝内で移動可能に案内され、ボーリングヘッドハウジングの周辺を越え、複数の挿入体要素の突出の調整および調節のための共通の調整手段をさらに構成し、調整手段は、複数の挿入体要素と離れたカセットの側でカセットに当たり、周辺方向への調整手段の形状は、同時にボーリングヘッドの前面での調整手段の固定により、複数の挿入体要素の突出の調整および調節が行われるようにされ、また、前記調整手段はボーリングヘッド軸線に対して中央で実質的に同心に配置されるボーリングヘッド。」  
　 
　そして、補正発明と刊行物１発明とは、以下の２点で相違している。
＜相違点１＞ 
　補正発明は、複数の挿入体要素として、少なくとも１つのガイド要素と少なくとも１つの切断挿入体とを備え、それらをカセットによって支持して共通の調整手段により同時に調整が行われるようにしているのに対して、刊行物１発明は、複数の挿入体要素として、複数の切断挿入体を備え、それらをカセットによって支持して共通の調整手段により同時に調整が行われるようにしている点。 
＜相違点２＞ 
　補正発明では、調整手段の形状は、ボーリングヘッドの対称軸線からのカセットの半径方向の距離に適合され、調整手段が軸線方向で円筒に構成されているのに対して、刊行物１発明では、調整手段の形状は、スペーサー２４の厚みを適合させ、調整手段が、略円柱状の嵌合部２５ａと先端方向に向かって漸次径が増大するテーパ部２５ｂとで形成されている点。
　　 
（４）相違点の検討  
ア　＜相違点１＞について
　上記（２）の（２−２）にて指摘したように、刊行物２事項は、 
「周辺に配置される少なくとも１つのガイド部材２４と、周辺に配置される少なくとも１つのリーマ切刃３とを備えた工具１において、ガイド部材２４も少なくとも１つのリーマ切刃３も径方向調整部材により支持され、少なくとも１つのガイド部材２４の突出でも、少なくとも１つのリーマ切刃３の突出でも、共通の調整のための調整ロッド５をさらに構成して、共通の調整のための調整ロッド５により同時に調整が行われるようにすること」であるところ、
　これを補正発明の用語を用いて表現すれば、刊行物２事項の「ガイド部材２４」、「リーマ切刃３」、「工具１」、「径方向調整部材」及び「調整ロッド５」は、それぞれ補正発明の「ガイド要素」、「切断挿入体」、「ボーリングヘッド」、「カセット」及び「調整手段」に相当するから、刊行物２事項は、
　周辺に配置される少なくとも１つのガイド要素と、周辺に配置される少なくとも１つの切断挿入体とを備えたボーリングヘッドにおいて、ガイド要素も少なくとも１つの切断挿入体もカセットにより支持され、少なくとも１つのガイド要素の突出でも、少なくとも１つの切断挿入体の突出でも、共通の調整のための調整手段をさらに構成して、共通の調整のための調整手段により同時に調整が行われるようにすること、と言い換えることができる。
　そして、刊行物１発明に、同じ穴あけ工具の調整手段たる刊行物２事項を適用することに格別困難性は見い出せない。
　また、補正発明が特定しているような、周辺に配置される少なくとも１つのガイド要素と、周辺に配置される少なくとも１つの切断挿入体とを備えたボーリングヘッドは、刊行物２に示されるのみならず、例えば、米国特許第２４００８３９号明細書（cutting tool C1,  steadies e1, i1を参照）にも示されるように従来周知の事項である。
　これらを併せ考えると、刊行物２事項及び上記従来周知の事項を刊行物１発明に適用して、相違点１に係る発明特定事項を補正発明のものとすることは、当業者が容易に想到し得るところというべきである。　 
　　 
イ　＜相違点２＞について 
　上記（２）の（２−１）のイにて指摘してように、刊行物１事項は、 
「スローアウェイチップを装着したカートリッジの後端面が当接するキャップにおいて、キャップの形状は、ボーリングバーの軸線を中心に回転する切刃の外径寸法を設定するものであり、キャップが軸線と同心状に円柱形状に構成されていること」であるところ、
　これを補正発明の用語を用いて表現すれば、刊行物１事項の「スローアウェイチップ」、「装着した」、「カートリッジ」及び「キャップ」は、それぞれ補正発明の「少なくとも１つの切断挿入体」、「支持した」、「カセット」及び「調整手段」に相当するといえる。
　また、刊行物１事項の「キャップの形状は、ボーリングバーの軸線を中心に回転する切刃の外径寸法を設定する」ことは、刊行物１事項のキャップ（調整手段）にカートリッジ（カセット）の後端面が当接することを踏まえれば、補正発明のように「調整手段の形状は、ボーリングヘッドの対称軸線からのカセットの半径方向の距離に適合させ」と表現できる。さらに、刊行物１事項の「軸線と同心状に円柱形状に構成されている」ことは、補正発明の「軸線方向で円筒に構成されている」ことに相当する。
　したがって、刊行物１事項は、
　少なくとも１つの切断挿入体を支持したカセットの後端面が当接する調整手段において、調整手段の形状は、ボーリングヘッドの対称軸線からのカセットの半径方向の距離に適合されるものであり、調整手段が軸線方向で円筒に構成されていること、と言い換えることができる。
　また、補正発明が特定しているような、「軸線と同心状に円柱形状に構成されている」部材を用いたボーリングヘッドは、刊行物１に示されるのみならず、例えば、米国特許第２４００８３９号明細書（stem O1を参照）にも示されるように従来周知の事項である。
　そうしてみると、刊行物１事項及び上記従来周知の事項を刊行物１発明に適用して、相違点２に係る発明特定事項を補正発明のものとすることは、当業者が容易に想到し得るところというのが相当である。　 
　 
（５）＜補正発明の効果＞について  
　補正発明によってもたらされる効果も、刊行物１発明、刊行物１事項、刊行物２事項及び従来周知の事項から当業者であれば予測できる程度のものであって格別のものではない。  
　 
（６）したがって、補正発明は、刊行物１発明、刊行物１事項、刊行物２事項及び従来周知の事項に基づいて当業者が容易に発明をすることができたものであるから、特許法第２９条第２項の規定により特許出願の際独立して特許を受けることができないものである。  
　 
３　むすび  
　よって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。  
　  
第３　本件出願の発明について  
１　本件出願の発明  
　本件補正は、上記のとおり却下されたので、本件出願の特許請求の範囲の請求項に係る発明は、平成２１年１１月１６日付け手続補正書により補正された明細書及び願書に添付した図面の記載からみて、その特許請求の範囲の請求項１ないし請求項１３に記載された事項により特定されるとおりのものであると認められるところ、請求項１に係る発明（以下「本件出願の発明」という。）は、上記第２の１（１）に示す特許請求の範囲の請求項１に記載されたとおりの「ボーリングヘッド」である。  
　 
２　引用例  
　これに対して、原査定の拒絶の理由に引用された刊行物とその記載事項は、上記第２の２（２）に示したとおりである。  
　 
３　対比・検討  
　本件出願の発明は、上記第２の２で検討した補正発明から、実質的に、「ボーリングヘッド（１００）の前面での」という限定と「また、前記調整手段はボーリングヘッド軸線に対して中央で実質的に同心に配置される」という限定を削除したものである。  
　そうすると、実質上、本件出願の発明を構成する事項の全てを含み、さらにその他の事項を付加する補正発明が上記第２の２（６）で示したとおり、刊行物１発明、刊行物１事項、刊行物２事項及び従来周知の事項に基づいて当業者が容易に発明をすることができたものであるから、本件出願の発明も同様の理由により当業者が容易に発明をすることができたものである。
　 
４　むすび  
　したがって、本件出願の発明は、特許法第２９条第２項の規定により特許を受けることができない。 
　よって、本件出願のその余の請求項に係る発明について検討するまでもなく、本件出願は拒絶されるべきであるから、結論のとおり審決する。